(57)【特許請求の範囲】
【請求項１】
筆跡データの照合に利用する参照筆跡データを一つ以上記憶し，外部装置から受信した筆跡データと前記参照筆跡データそれぞれを照合する手段を有するＲＦＩＤモジュールが実装された冊子体と，前記冊子体のページに署名を記入するときに利用され，該署名が記入されたときの前記筆跡データを記憶するデジタルペンと，前記デジタルペンから前記筆跡データを読み取り，前記ＲＦＩＤモジュールを利用して該筆跡データを照合し，前記筆跡データの照合結果に対応するジャーナルログを前記冊子体に印字する照合装置とから少なくとも構成されることを特徴とする筆跡照合システム。
【請求項２】
デジタルペンが、ＲＦＩＤモジュールが実装された冊子体に署名が記入されたときの筆跡データを記憶するステップ、照合装置が，前記デジタルペンから筆跡データを読み取り，前記ＲＦＩＤモジュールに該筆跡データを照合させるステップ，前記ＲＦＩＤモジュールが，前記ＲＦＩＤモジュールに記憶している参照筆跡データそれぞれと前記照合装置から受信した前記筆跡データを照合し，照合結果を前記照合装置に送信するステップ，前記照合装置が，前記ＲＦＩＤモジュールから受信した照合結果に対応するジャーナルログを冊子体に印字するステップ、が実行されることを特徴とする筆跡照合方法。
【発明の詳細な説明】
【技術分野】
【０００１】
本発明は，健康保険証やパスポートなどの冊子体に記入された署名の筆跡データを照合し，照合結果を冊子体に記録するための技術に係わる。
【背景技術】
【０００２】
社会保障制度全体を通じた情報化の共通基盤として、年金手帳・健康保険証・介護保険証の役割を果たす社会保障カード（仮称）の導入が国家レベルで検討され，社会保障カードを利用する際のカード所有者認証として，ユーザＩＤ・パスワード認証方式を用いる方向にある。
【０００３】
しかし，ユーザＩＤ及びパスワード認証方式では，社会保障カードの所有者が，所有者のユーザＩＤ及びパスワードを入力しなければならないが，社会保障カードを健康保険証として利用する際，社会保証カードの所有者が重篤の症状であると，該所有者がユーザＩＤ・パスワードを入力することができないため，このようなときは，社会保障カードの所有者の代わりに，社会保障カードの所有者の代理人がユーザＩＤ・パスワードを入力できるようにする必要がある。
【０００４】
社会保障カードの所有者の代理人が，社会保障カードの所有者の代わりにユーザＩＤ・パスワードを入力する場合，社会保障カードの所有者の代理人に成りすましがないことを後日確認できるように，社会保障カードの所有者の代理人に署名を求めることが一般的であるが，社会保障カードには，社会保障カードの所有者の代理人に署名を残すことはできないため，社会保障カードの所有者の代理人に署名を残せるように，複数のページから成る冊子体をカードの代わりに利用することが考えられる。
【０００５】
複数のページから成る冊子体を社会保障カードのように機能させるためには，特許文献１，２，３で開示されている冊子体のように，アンテナや非接触ＩＣチップがモールドされたＲＦＩＤモジュールを冊子体に実装させればよいが，従来の技術では，冊子体に記入される署名の照合結果を記録することはできなかった。
【先行技術文献】
【特許文献】
【０００６】
【特許文献１】特開２００２−４２０６８号公報
【特許文献１】特開２００２−４２０６７号公報
【特許文献１】特開２００２−４２０７６号公報
【発明の概要】
【発明が解決しようとする課題】
【０００７】
そこで，本発明は，冊子体に署名記入されたときの筆跡データを電子的に照合し，筆跡データの照合結果を冊子体に記録できるシステム及び方法を提供することを目的とする。
【課題を解決するための手段】
【０００８】
上述した課題を解決する第１の発明は、筆跡データの照合に利用する参照筆跡データを一つ以上記憶し，外部装置から受信した筆跡データと前記参照筆跡データそれぞれを照合する手段を有するＲＦＩＤモジュールが実装された冊子体と，前記冊子体のページに署名を記入するときに利用され，該署名が記入されたときの前記筆跡データを記憶するデジタルペンと，前記デジタルペンから前記筆跡データを読み取り，前記ＲＦＩＤモジュールを利用して該筆跡データを照合し，前記筆跡データの照合結果に対応するジャーナルログを前記冊子体に印字する照合装置とから少なくとも構成されることを特徴とする筆跡照合システムである。
【０００９】
上述した課題を解決する第２の発明は、デジタルペンが、ＲＦＩＤモジュールが実装された冊子体に署名が記入されたときの筆跡データを記憶するステップ、照合装置が，前記デジタルペンから筆跡データを読み取り，前記ＲＦＩＤモジュールに該筆跡データを照合させるステップ，前記ＲＦＩＤモジュールが，前記ＲＦＩＤモジュールに記憶している参照筆跡データそれぞれと前記照合装置から受信した前記筆跡データを照合し，照合結果を前記照合装置に送信するステップ，前記照合装置が，前記ＲＦＩＤモジュールから受信した照合結果に対応するジャーナルログを冊子体に印字するステップ、が実行されることを特徴とする筆跡照合方法である。
【発明の効果】
【００１０】
このように，上述した本発明によれば，冊子体に署名が記入されたときにデジタルペンに筆跡データが記憶され，照合装置は，デジタルペンに記憶された筆跡データと，冊子体に記憶された筆跡データを照合し，照合結果を冊子体に印字することになり，冊子体に署名記入されたときの筆跡データを電子的に照合し，筆跡データの照合結果を冊子体に記録できるようになる。また，デジタルペンを用いて冊子体に記入された筆跡は目視で確認できるので，照合結果に加え，照合に利用された筆跡データの元になった筆跡をも冊子体に残すことができる。
【図面の簡単な説明】
【００１１】
【図１】筆跡照合システムを説明する図。
【図２】冊子体である健康保険証を説明する図。
【図３】デジタルペンを説明する図。
【図４】照合装置を説明する図。
【図５】筆跡照合システムの一連の動作を説明するフロー図。
【発明を実施するための形態】
【００１２】
ここから，本願発明の実施形態について，本願発明の技術分野に係わる当業者が，本願発明の内容を理解し，本願発明を実施できる程度に説明する。
【００１３】
図１は，本実施形態における筆跡照合システム１を説明する図である。図１で図示した筆跡照合システム１では，ＲＦＩＤモジュール３０が実装された冊子体である健康保健証３と，被保険者等や被保険者の代理人の署名を健康保険証３に記載するときに利用されるデジタルペン２と，健康保険証３に署名が記入された筆跡データを照合し，該筆跡データの照合結果に係わるジャーナルログを健康保険証３に印刷する照合装置４とから少なくとも構成されている。
【００１４】
図２は，健康保険証３を説明する図で，図２（ａ）は健康保健証３の外観を説明する図，図２（ｂ）は被保険者等の署名及びジャーナルログを記録するページを説明する図である。
【００１５】
図２（ａ）に図示したように，健康保険証３は，被保険者等の署名及びジャーナルログを記録するための複数のログページ３ａを備えた冊子体で，健康保険証3の表紙側には，アンテナ３０ｂと非接触ＩＣチップ３０ｂを少なくとも有するＲＦＩＤモジュール３０が実装されている。図２（ａ）では，ＲＦＩＤモジュール３０が健康保険証３の表紙から目視できるかのように記載しているが，実際には，ＲＦＩＤモジュール３０は，健康保険証３の表紙から目視できないように実装されている。
【００１６】
健康保険証３に実装されたＲＦＩＤモジュール３０には，予め，健康保険証３の利用が許可された者（被保険者及び被保険者の代理人）がデジタルペン２を用いて署名したときの筆跡データが参照筆跡データとして記憶され，更に，外部装置（ここでは，照合装置）から送信された筆跡データと参照筆跡データそれぞれを照合するコマンドが記憶されている。
【００１７】
図２（ｂ）に図示したように，被保険者等の署名及びジャーナルログを記録するためのログページ３ａには，被保険者等の署名とジャーナルログを対に記録する複数の欄３ｂが通常インキを用いて印刷されている。
【００１８】
また，健康保健証３の少なくともログページ３ａには，カーボンを含んだ特殊インキを用いて、デジタルペン２によって読み取られる格子状のドットパターン３ｃが印刷されている。このドットパターン３ｃに含まれる各ドットは、格子の交点において上下左右のいずれかの方向に微妙にずれた状態で配置され，６ドット×６ドットの単位で，ログページ３ａ上の座標値が表されている。
【００１９】
図３はデジタルペンを説明する図である。デジタルペン２は，既に市販されているアノトペン（登録商標）と同じ機能を備え，図３で図示したように，従来のペンとして機能するペン部２３に加え、デジタルペン２として機能するために、ログページ３ａに印刷されたドットパターン３ｃを読取る手段であるＣＣＤカメラ２２と、照合装置４と無線通信するための手段である通信ユニット２５（例えば、ブルートゥース）と、ペン部２３のペン先に加わる圧力を計測するための筆圧センサ２４と、ＣＣＤカメラ２２が撮像した画像の画像処理などの行うためのイメージプロセッサ２０と、イメージプロセッサ２０が処理した情報を記憶するメモリ２１を備えている。
【００２０】
ログページ３ａに印刷されたドットパターン３ｃを読取る手段であるＣＣＤカメラ２２は光源と光学系を備えている。上述しているように、ドットパターン３ｃは、カーボンを含んだ特殊インキで健康保険証３のログページ３ａに印刷されているため、ＣＣＤカメラ２２が赤外線を利用しログページ３ａを撮像することで、ＣＣＤカメラ２２はログページ３ａに印刷されたドットパターン３ｃを６ドット×６ドットの単位で読み取る。
【００２１】
デジタルペン２に備えられた通信ユニット２５は、照合装置４に対応した手段であればよく、例えば，通信ユニット２５としてブルートゥースや赤外線通信を利用できる。
【００２２】
筆圧センサ２4は、ユーザがデジタルペン２のペン部２３の先端に加わる圧力すなわち筆圧を検出し、イメージプロセッサ２０へ伝達する手段である。イメージプロセッサ２０は筆圧センサ２５から送信される信号を参照することで、ペン部２３のペン先がＯＮ状態、すなわち、用紙に接した状態（＝記入している状態）であるか、ＯＦＦ状態、すなわち、用紙に接していない状態（＝記入していない状態）であるか判断できる。
【００２３】
画像処理を行うイメージプロセッサ２０は、ペン部２３のペン先がＯＮ状態であるときに、ＣＣＤカメラ２２を用いて高速（５０回〜１００回／秒）でドットパターン３ｃを撮像し、撮像したドットパターン３ｃから座標情報を演算する。
【００２４】
イメージプロセッサ２０は、ドットパターン３ｃを撮像した時間情報、ドットパターン３ｃから得られる座標値、および、座標値の軌跡を解析することで得られるストローク情報を少なくとも筆跡データとして、時系列でメモリ２１に記憶する。なお，デジタルペン２に記憶した筆跡データは，デジタルペン２が照合装置４のペン挿入口４ａに挿入され，照合を開始する操作ボタンが押されたとき，照合装置に通信ユニット２５で送信される。
【００２５】
図４は，照合装置を説明する図である。照合装置４には，ＣＰＵ，ＲＡＭなどを備えた制御ボード４０と，文字などを表示するディスプレイ４１と，照合を開始するときに押される操作ボタン４２と，ジャーナルログを印字するときに押される操作ボタン４３と，健康保険証３の利用に係わるジャーナルログをログページ３ａに印刷するときに使用するプリンタ４４と，ペン挿入口４ａに挿入されたデジタルペン２とデータ通信するための通信ユニット４６と，健康保険証３のＲＦＩＤモジュール３０とデータ通信するリーダライタ４５を備え，制御ボード１０のＣＰＵを動作させるコンピュータプログラムによって実現される手段として，ＲＦＩＤモジュール３０を利用して，デジタルペン２から読み取った筆跡データを照合する照合手段４００と，該筆跡データの照合に成功すると，プリンタ４４を作動させ，署名が記入された欄３ｂにジャーナルログを印字する処理を実行する印字手段４０１が備えられる。
【００２６】
照合装置４の通信ユニット４６は，デジタルペン２の通信ユニット２５に対応し，操作ボタン４２が押されたことを検知すると，ペン挿入口４ａに挿入されたデジタルペン２のメモリ２１に記憶されている筆跡データを読み取った後，該筆跡データをデジタルペン２のメモリ２１から消去する動作を行う。
【００２７】
照合装置４の照合手段４００は，リーダライタ４５を作動させて，デジタルペン２から読み取った筆跡データを照合するコマンドを健康保険証３のＲＦＩＤモジュール３０に送信することで，該筆跡データを照合し，筆跡データの照合結果をディスプレイ４１に表示する動作を行う。
【００２８】
照合装置４の印字手段４０１は，照合手段４００が筆跡データの照合した後，操作ボタン４３が押されたことを検知すると，筆跡データの照合結果を示すジャーナルログを所定の位置に印字する手段である。なお，ジャーナルログを印字する箇所は，筆跡データに含まれる座標値から特定できる。
【００２９】
ジャーナルログのフォーマットは任意であるが，冊子体を健康保険証３としたとき，筆跡データの照合の成功を示すジャーナルログには，健康保険証３が利用されるときの日付または日時，健康保険証３が利用される病院名，被保険者の主治医の氏名などが含まれる。また，筆跡データの照合の失敗を示すジャーナルログには米印を利用するとよい。
【００３０】
ここから，方法の発明の説明も兼ねて，図１で図示した筆跡照合システム１の一連の動作について説明する。図５は，図１で図示した筆跡照合システム１の一連の動作を説明するフロー図である。被保険者または被保険者の代理人が，デジタルペン２を用いて健康保健証３のログページ３ａに署名すると，該署名に対応する筆跡データがデジタルペン２のメモリ２１に記憶される（Ｓ１）。
【００３１】
照合装置４の照合手段４００は，操作ボタン４２が押されたことを検知すると，ペン挿入口４ａに挿入されたデジタルペン２のメモリ２１に記憶された筆跡データを読み取り，該筆跡データをデジタルペン２のメモリ２１から消去する動作を行った後（Ｓ２），読み取った筆跡データを照合するコマンドを健康保険証３のＲＦＩＤモジュール３０に対して送信する動作を行う（Ｓ３）。
【００３２】
健康保険証３のＲＦＩＤモジュール３０は，筆跡データを照合するコマンドを受信すると，ＲＦＩＤモジュール３０に記憶された参照筆跡データを順に利用して，参照筆跡データと該筆跡データの照合を行い，参照筆跡データと筆跡データの照合に成功すると，筆跡データの照合に成功したことを示す照合結果を照合装置４に送信し，筆跡データの照合に成功する参照筆跡データがＲＦＩＤモジュール３０に記憶されていないとき，筆跡データの照合に失敗したことを示す照合結果を照合装置４に送信する（Ｓ４）。
【００３３】
照合装置４の照合手段４００は，筆跡データの照合結果を健康保険証３のＲＦＩＤモジュール３０から受信すると，照合結果をディスプレイ４１に表示させ，操作ボタン４３が押されると，照合装置４の印字手段４０１は，照合結果に対応するジャーナルログをログページ３ａに印字する処理を実行し，この手順を終了させる（Ｓ５）。
【００３４】
このように，図１で図示した筆跡照合システム１によれば，デジタルペン１を用いて署名を健康保険証３に記入することで，健康保険証３を利用するときの被保険者又は代理人の署名を記録できる。また，デジタルペン１を用いて署名を健康保険証３に記入することで，該署名に対応する筆跡データを取得でき，該筆跡データを電子的に照合し，照合結果を健康保険証３に記憶することができるようになる。
【００３５】
なお、本発明は、これまで説明した実施形態に限定されることなく、種々の変形や変更が可能である。例えば，上述した実施形態では，ＲＦＩＤモジュールが実装された冊子体を健康保険証としているが，ＲＦＩＤモジュールが実装された冊子体は，入出国審査に利用されるパスポートや、年金手帳、介護保険などの各種の社会保健及び医療福祉分野にも応用できる。
【符号の説明】
【００３６】
１    筆跡照合システム
２    デジタルペン
３    健康保険証
３０  ＲＦＩＤモジュール
４    照合装置
４００  照合手段
４０１  印字手段
【図１】
0005387284.tif 000002
【図２】
0005387284.tif 000003
【図３】
0005387284.tif 000004
【図４】
0005387284.tif 000005
【図５】
0005387284.tif 000006